(57)【要約】【課題】手洗い付きのロータンクのない水洗トイレにおいても、トイレの使用の都度、便器のボウル内に薬液を吐出でき、かつ便等で汚れないように設置できる薬液吐出装置を提供する。【解決手段】薬液吐出装置１Ａが、便座２２を備える水洗トイレの便器２０のボウル内に薬液Ａを吐出するノズル部５、便器２０のボウル外に配置される薬液収容部、及び便器２０と便座２２の間に配置され、便座２２が上方から押圧されることにより、薬液収容部に収容されていた薬液Ａをノズル部５に供給する薬液供給機構、を備える。薬液供給機構としては、手動ポンプ装置３、空気ポンプ１５等を使用することができる。【選択図】図２Ｂ
2008111296.tif 000002
【特許請求の範囲】
【請求項１】
便座を備える水洗トイレの便器のボウル内に薬液を吐出するノズル部、便器のボウル外に配置される薬液収容部、及び
便器と便座の間に配置され、便座が上方から押圧される押圧力により、薬液収容部に収容されていた薬液をノズル部に供給する薬液供給機構、を備えた薬液吐出装置。
【請求項２】
薬液供給機構が、シリンダーとピストンからなる手動ポンプ装置と、該ポンプ装置に一端が連通し、他端が前記ノズル部に連通する導液管を備え、該導液管が便器と便座の間に配置され、便座が上方から押圧されることにより、ピストンを押し下げるように設置される請求項１記載の薬液吐出装置。
【請求項３】
便器と便座の間に配置した導液管と便座との距離を調整する位置調整部材を備えた請求項２記載の薬液吐出装置。
【請求項４】
薬液供給機構が、前記容器内に空気を送入可能な、中空弾性体からなる空気ポンプからなる請求項１記載の薬液吐出装置。
【請求項５】
薬液収容部がスクイズ可能な容器からなる請求項４記載の薬液吐出装置。
【請求項６】
薬液収容部が、薬液供給口を有する請求項１〜５のいずれかに記載の薬液吐出装置。
【発明の詳細な説明】
【技術分野】
【０００１】
本発明は、水洗トイレのフラッシュ時の水を利用して便器に洗浄剤等の薬液を供給する装置に関する。
【背景技術】
【０００２】
ロータンクの無い所謂タンクレストイレや、手洗いのないロータンクが設けられている水洗トイレにおいて、便器のボウル内に洗浄剤等の薬液を供給する装置として、便器のボウル内のリム部に薬液供給具をフックで取り付け、フラッシュ時の水を利用して薬液が供給されるようにしたものがある（特許文献１）。
【０００３】
しかしながら、このような薬液供給具は、その本体が便器のボウル内に設置されるので、薬液供給具が便等で汚れやすく、見た目にも違和感がある。そのため、このタイプの薬液供給具は、手洗い付きロータンクのない海外では普及していても、日本ではほとんど使用されていない。即ち、日本において、手洗い付きのロータンクのある水洗トイレでは、手洗水を利用した薬液供給具（特許文献２）が使用され、手洗い付きのロータンクのない水洗トイレでは、スプレー式の洗浄剤等が使用されている。
【０００４】
【特許文献１】特開２００５−２９０８６７号公報
【特許文献２】特開２００５−２７３３４９号公報
【発明の開示】
【発明が解決しようとする課題】
【０００５】
しかしながら、手洗い付きのロータンクのない水洗トイレにおいて、使用の度に洗浄剤をスプレーするのは煩雑であり、洗浄剤の置き場の確保が困難な場合もある。
【０００６】
これに対し、本発明は、手洗い付きのロータンクのない水洗トイレにおいても、トイレの使用の都度、便器のボウル内に薬液を吐出でき、かつ便等で汚れないように設置できる薬液吐出装置を提供することを目的とする。
【課題を解決するための手段】
【０００７】
本発明者は、トイレの使用時に便座に腰かけたときの押圧力で薬液が吐出されるようにすると、トイレの便器のボウル内に薬液吐出装置の本体を設置することが不要となり、薬液を吐出するノズルのみを配置すればよく、これにより上述の目的を達成できることを見出した。
【０００８】
即ち、本発明は、便座を備える水洗トイレの便器のボウル内に薬液を吐出するノズル部、便器のボウル外に配置される薬液収容部、及び
便器と便座の間に配置され、便座への上方からの押圧力により、薬液収容部に収容されていた薬液をノズル部に供給する薬液供給機構、を備えた薬液吐出装置を提供する。
【発明の効果】
【０００９】
本発明の薬液吐出装置によれば、薬液収容部や、薬液収容部からノズル部に薬液を供給する薬液供給機構は便器のボウル外に配置するので、薬液吐出装置が便等で汚れることを防止できる。
【００１０】
また、薬液を吐出するノズル部も便座の下の人目につかない位置に配置できる。したがって、トイレの利用者は、違和感なくトイレを利用することができる。
【００１１】
さらに、ロータンクの手洗水を利用した薬液供給具では、薬液供給具から供給される薬液が大量の水で希釈されるため、フラッシュ後、ボウル内の水封部に残存する水の薬液濃度が非常に低くなるが、本発明によれば、薬液の粘度を高めることにより、ボウル内壁面への付着性を高め、洗浄効果を向上させることができる。即ち、ボウル内壁面に付着した薬液は、フラッシュ時の短時間の流水にのみ曝され、しかもボウル内壁の横壁部分の流水量は比較的少ないため、ボウル内壁面に付着した薬液は、フラッシュ後においても相当量が残存しており、水封部に残存する水の薬液濃度を高めることができる。
【発明を実施するための最良の形態】
【００１２】
以下、図面を参照しつつ、本発明を詳細に説明する。なお、各図中、同一符号は同一又は同等の構成要素を表している。
【００１３】
図１は、本発明の一実施例の薬液吐出装置１Ａでの斜視図であり、図２Ａはそれを水洗トイレの便器に取り付けた状態の斜視図であり、図２Ｂは、その取付部分の拡大図である。
【００１４】
この薬液吐出装置１Ａは、薬液収容部となる容器２と、その口部に取り付けた、シリンダーとピストンからなる手動ポンプ装置３と、手動ポンプ装置３に連通する導液管４と導液管４の先端部をなすノズル部５を有している。
【００１５】
この容器２としては、任意形状のプラスチック成型体を使用することができる。
【００１６】
手動ポンプ装置３としては、一般に家庭用洗浄剤等の吐出装置として使用されている手押しポンプを使用することができ、より具体的には、ピストンに連設した導液管４を容器２側に手動で押し込むことにより、容器２内に収容されていた薬液を所定量吐出させ、押し込みを解除することにより、ポンプに内蔵されているバネ材によって導液管４が押し込み前の位置に復元するものを使用することができる。
【００１７】
容器２の口部を覆うキャップ６には、容器２を便器２０に取り付ける固定具として、便器２０のリム部２１を挟持するようにコ字状に広がる板状部材７が取り付けられている。この板状部材７は、スライドロック機構８により、図１に矢印で示すように、キャップ６に対する取り付け位置を変えることができる。このスライドロック機構８は、後述するように、便器２０のリム部２１と便座２２の間に配置した導液管４のリム部２１に対する距離を調整する位置調整部材として機能する。
【００１８】
導液管４は、この薬液吐出装置１Ａを便器２０に取り付けた場合に、便器２０のリム部２１にコ字状に架け渡せるように屈曲しており、導液管４のリム部２１上に位置する部分には、導液管４が便座２２で押圧されても当初の形状を維持し、導液管４で手動ポンプ装置３のピストンを押し込めるように、必要に応じて補強部９が設けられている。
【００１９】
容器２の内部には、トイレ用洗浄剤、殺菌剤、芳香剤等を含有する薬液Ａが収容される。この薬液Ａとしては、便器２０に水をフラッシュさせた後に便器の水封部２４に残存する薬液濃度が高まるように、１０〜２００００ｍＰａ・ｓ（２０℃、Ｂ型粘度計、６０ｒｐｍ）が好ましい。この範囲よりも粘度が高いとポンプ装置３から薬液を吐出しにくくなり、反対に低いとフラッシュ後に薬液が流されやすくなるので水封部２４に溜まる水の薬液濃度が薄くなり、薬液の洗浄、殺菌効果を十分に発揮させることが難しくなる。薬液の効果をより発揮させるためには、９０〜１００００ｍＰ・ｓが好ましい。
【００２０】
この薬液吐出装置１Ａの使用方法としては、まず、図２Ａに示すように、板状部材７をコ字状に広げて便器２０のリム部２１に掛けることにより、薬液吐出装置１Ａを便器２０に取り付ける。この状態で、容器２は便器２０の外側に位置し、導液管４は便器２０のリム部２１上で便器２０と所定の距離を有する位置にあり、ノズル部５の吐出口１０は、ボウル内に向く。
【００２１】
次に、図２Ｂのように便座２２を便器２０のリム部２１上に下ろすと、便座の足２３がリム部２１に接する前に便座２２が導液管４又はその補強部９に接し、導液管４を軽く押圧するが、ポンプ装置３に内蔵されるバネ材の矢印方向の反発力により、便座の足２３はリム部２１に接することなく浮き上がっている。ここで、便座２２が導液管４又はその補強部９に接することなく、便座の足２３がリム部２１に載る場合には、スライドロック機構８により板状部材７の取り付け位置を調整し、便座の足２３がリム部２１から浮き上がるようにする。この状態で、導液管４やノズル部５は便座２２の下にほとんど隠され、トイレの利用者が便器２０の外観に違和感を覚えることはない。
【００２２】
トイレの利用者が便座２２に腰掛けると、便座２２は上方から押圧され、それにより導液管４が押し下げられる。したがって、ポンプ装置３のピストンがシリンダー内に押し込まれ、容器２に収容されていた薬液Ａがポンプ装置３を通して導液管４に供給され、ノズル部５から便器２０のボウル内に薬液Ａが吐出される。
【００２３】
トイレの洗浄水がフラッシュされると、吐出された薬液はボウル内に広がり、便器が洗浄ないし除菌される。
【００２４】
本発明の薬液吐出装置は、種々の態様をとることができる。例えば、図３の薬液吐出装置１Ｂは、上述の薬液吐出装置１Ａに対し、容器２を便器２０に取り付ける固定具として、板状部材７に代えて、キャップ６を挟持するＣ字状固定具１０を設けたものである。このＣ字状固定具１０は、キャップ６を挟持する側と反対側端部に、便器２０の外壁に吸着する吸盤１１を有している。したがって、この薬液吐出装置１Ｂによれば、容器２を便器２０に取り付けた状態での、便器２０のリム部２１からの導液管４への距離を、便器２０の外壁に対する吸盤１１の吸着位置によって適宜調整することができる。
【００２５】
図４の薬液吐出装置１Ｃは、上述の薬液吐出装置１Ａに対し、薬液収容部として、容器２に代えて袋体１２を設けたものである。この袋体１２には、キャップで開閉自在にできる薬液供給口１３が設けられており、薬液供給口１３から随時薬液Ａを補充できるようになっている。図５はこの薬液吐出装置１Ｃを便器２０に取り付けた状態の斜視図である。同図には、板状部材７を便器のリム部２１に掛けることにより、薬液吐出装置１Ｃを便器２０に取り付けた状態を示したが、取り付け方に特に制限はなく、図３のＣ字状固定具１０により取り付けてもよい。
【００２６】
図６の薬液吐出装置１Ｄは、薬液収容部として、スクイズ可能な容器１４を設け、薬液供給機構として、球体型の中空弾性体からなる空気ポンプ１５を設け、容器１４を便器２０に取り付ける固定具としてリング付き吸盤１６を使用したものであり、図７は、この薬液吐出装置１Ｄを便器２０に取り付けた状態の斜視図である。
【００２７】
この薬液吐出装置１Ｄにおいて、空気ポンプ１５としては、便座２２をリム部２１に下ろした状態で、便座の足２３がリム部２１に接する前に便座２２が空気ポンプ１５に接し、空気ポンプ１５を軽く押圧した場合に、空気ポンプ１５の弾性力により、便座の足２３がリム部２１に接することなく浮き上がる程度の弾性力をもつものを使用する。なお、空気ポンプ１５として、球体型の空気ポンプに代えて蛇腹型の空気ポンプを用いてもよい。
【００２８】
空気ポンプ１５と容器１４とは送気チューブ１７で連通し、導液管４は、容器１４内の底部に伸びるディップチューブ１８と連通している。
【００２９】
図７に示すように、この薬液吐出装置１Ｄの使用時には、空気ポンプ１５をリング付き吸盤１６でリム部２１上に固定し、コ字状に広がる導液管４をリム部２１に掛け、空気ポンプ１５から伸びる送気チューブ１７と導液管４とで吊り下げるようにして容器１４を便器２０の側面に取り付ける。
【００３０】
トイレの利用者が便座２２をリム部２１に下ろし、次いで便座２２に腰掛けると、便座２２は上方から押圧され、それにより空気ポンプ１５が押圧され、容器１４内に空気が送られ、容器１４内のヘッドスペースが加圧される。したがって、ディップチューブ１８に薬液Ａが送り込まれ、導液管４を通してノズル５から薬液Ａが吐出される。このようにして薬液Ａを吐出させるにあたり、容器１４内のヘッドスペースが増し、空気ポンプ１５の加圧によって薬液が吐出し難くなった場合には、随時容器１４をスクイズすればよい。容器１４のスクイズによっても薬液Ａを吐出させることができる。
【００３１】
この他、本発明の薬液吐出装置としては、上述の薬液吐出装置１Ｄの容器として、形状がリジッドな容器を使用してもよく、その場合には、空気ポンプ１５から注入する空気量を調節できるようにすることが好ましい。
【００３２】
また前述の薬液吐出装置の手動ポンプ装置として、ステムを押圧することにより、一定量の内容液が吐出される定量吐出タイプのエアゾールバルブ（例えば、特開平６−２５５６８８号等）としてもよい。この場合、吐出させる薬液は液状や泡状にすることも可能である。
【００３３】
また、薬液収容部は、便器の外壁に取り付ける容器や袋体の他、便器内に組み込んだものでもよい。
【産業上の利用可能性】
【００３４】
本発明は、種々の水洗トイレの便器の洗浄、殺菌等に使用することができ、特に、手洗い付きロータンクのない水洗トイレでも使用することができる。
【図面の簡単な説明】
【００３５】
【図１】薬液吐出装置１Ａの斜視図である。
【図２Ａ】便器に取り付けた状態の薬液吐出装置１Ａの斜視図である。
【図２Ｂ】図２Ａの薬液吐出装置の便器への取付部分の拡大図である。
【図３】便器に取り付けた状態の薬液吐出装置１Ｂの斜視図である。
【図４】薬液吐出装置１Ｃの斜視図である。
【図５】便器に取り付けた状態の薬液吐出装置１Ｃの斜視図である。
【図６】薬液吐出装置１Ｄの斜視図である。
【図７】便器に取り付けた状態の薬液吐出装置１Ｄである。
【符号の説明】
【００３６】
１Ａ、１Ｂ、１Ｃ、１Ｄ  薬液吐出装置
２    容器
３    ポンプ装置
４    導液管
５    ノズル部
６    キャップ
７    板状部材
８    スライドロック機構
９    補強部
１０    Ｃ字状固定具
１１    吸盤
１２    袋体
１３    薬液供給口
１４    スクイズ可能な容器
１５    空気ポンプ
１６    リング付き吸盤
１７    送気チューブ
１８    ディップチューブ
２０    便器
２１    リム部
２２    便座
２３    便座の足
２４    水封部
Ａ    薬液
【図１】
2008111296.tif 000003
【図２Ａ】
2008111296.tif 000004
【図２Ｂ】
2008111296.tif 000005
【図３】
2008111296.tif 000006
【図４】
2008111296.tif 000007
【図５】
2008111296.tif 000008
【図６】
2008111296.tif 000009
【図７】
2008111296.tif 000010